(57)【要約】【課題】吊ケーブルを張設装置にセットする作業性と作業効率を向上することを課題とし、この課題を解決する吊ケーブルの一次押込み方法及びその一次押込み方法に用いられる一次押込み装置、このような一次押込み方法または装置を含む吊ケーブルの押込み方法及び装置を得る。【解決手段】吊ケーブル２を張設する張設装置１に吊ケーブル２をセットする一次押込み方法であって、張設装置１に装着された引張り手段５の張設方向への引っ張り力を吊ケーブル２に伝達して、当該吊ケーブル２を張設方向へ押込みながら張設装置１へセットすることを特徴とする吊ケーブルの一次押込み方法。【選択図】図１
2007198116.tif 000002
【特許請求の範囲】
【請求項１】
吊ケーブルを張設する張設装置に吊ケーブルをセットする一次押込み方法であって、張設装置に装着された引張り手段の張設方向への引っ張り力を吊ケーブルに伝達して、当該吊ケーブルを張設方向へ押込みながら張設装置へセットすることを特徴とする吊ケーブルの一次押込み方法。
【請求項２】
吊ケーブルを張設する張設装置に吊ケーブルをセットする一次押込み装置であって、吊ケーブルに対して張設方向へ引っ張る引張り手段と、吊ケーブルを保持する保持部材と、前記引張り手段と保持部材とに亘って連結された引張り部材とでなり、前記引張り手段を張設装置に装着するとともに、吊ケーブルを張設方向へ押込みながら張設装置へセットことを特徴とする吊ケーブルの一次押込み装置。
【請求項３】
吊ケーブルの外側に、保持部材と係合する係合手段を固定状に設けていることを特徴とする請求項２に記載の吊ケーブルの一次押込み装置。
【請求項４】
吊ケーブルの外側に被着固定された押込みシリンダに一定間隔毎に形成した係合手段を係脱するチャック手段を備えたストローク手段で、吊ケーブルを張設方向に押込む張設装置に用いられる一次押込み装置であって、前記保持部材が前記係合手段に係脱するチャック機能を有するものであることを特徴とする請求項２に記載の吊ケーブルの一次押込み装置。
【請求項５】
吊ケーブルの二次押込みを行う張設装置に吊ケーブルをセットする一次押込み方法であって、ケーブルソケットよりも後方の位置において前記吊ケーブルを保持する保持部材を設け、該保持部材に取り付けた複数本の引張り部材に対して張設方向への引っ張り力を付与することによって前記吊ケーブルを前記張設装置による二次押込みが可能な位置まで押し込むことを特徴とする吊ケーブルの一次押込み方法。
【請求項６】
吊ケーブルを張設する張設装置に吊ケーブルをセットする一次押込み装置であって、ケーブルソケットよりも後方の位置において前記吊ケーブルを保持する保持部材と、該保持部材に取り付けられた複数本の引張り部材と、該引張り部材に対して張設方向への引っ張り力を付与する引張り手段と、を備えたことを特徴とする吊ケーブルの一次押込み装置。
【請求項７】
引張り手段は張設装置に設けられていることを特徴とする請求項６に記載の吊ケーブルの一次押込み装置。
【請求項８】
引張り手段は、引張り部材を保持し及び保持を解除すると共に引張り方向に対して前後進できる前進保持部と、該前進保持部を前後進させるジャッキと、引張り部材を保持し及び保持を解除する固定保持部と、を備えてなることを特徴とする請求項６又は７に記載の吊ケーブルの一次押込み装置。
【請求項９】
吊ケーブルの外周面に被着固定された押込みシリンダに一定間隔毎に形成した係合手段を係脱するチャック手段を備え、該チャック手段で前記係合手段をチャックして前記吊ケーブルを張設方向に押込む張設装置に用いられる一次押込み装置であって、前記保持部材が前記係合手段に係合することによって前記吊ケーブルを保持するように構成されていることを特徴とする請求項６〜８の何れか一項に記載の吊ケーブルの一次押込み装置。
【請求項１０】
吊ケーブルを張設装置にセットする一次押し込みと、張設装置によって吊ケーブルを張設方向に押し込む二次押し込みからなる吊ケーブルの押込み方法であって、前記一次押込みが、ケーブルソケットよりも後方の位置において前記吊ケーブルを保持する保持部材を設け、該保持部材に取り付けた複数本の引張り部材に対して張設方向への引っ張り力を付与することによって前記吊ケーブルを前記張設装置による二次押込みが可能な位置まで押し込むことを特徴とする吊ケーブルの押込み方法。
【請求項１１】
請求項６〜９の何れか一項に記載の吊ケーブルの一次押込み装置と、該一次押込み装置によってセットされた吊ケーブルを二次押込みする張設装置と、を備えたことを特徴とする吊ケーブルの押込み装置。
【請求項１２】
張設装置は、吊ケーブルの外周面に被着固定された押込みシリンダに一定間隔毎に形成した係合手段を係脱するチャック手段を備え、該チャック手段で前記係合手段をチャックして前記吊ケーブルを張設方向に押込むものであることを特徴とする請求項１１に記載の吊ケーブルの押込み装置。
【請求項１３】
張設装置は、吊ケーブルの端部に設けたケーブルソケットを、スライド体を介してジャッキで押出し、押出し位置で前記スライド体の戻り止めをする盛替えナットを備えたものであることを特徴とする請求項１１に記載の吊ケーブルの押込み装置。
【発明の詳細な説明】
【技術分野】
【０００１】
本発明は、建設物、例えば斜張橋等の橋梁のような固定構造物に対して建築構造物を吊持する吊ケーブルを張設する張設装置に吊ケーブルをセットする一次押込み方法及びその押込み方法に用いられる一次押込み装置、このような一次押込み方法または装置を含む吊ケーブルの押込み方法及び装置に関する。
【背景技術】
【０００２】
吊ケーブルを張設する張設方法及び張設装置に関連する先行文献情報として、例えば下記の特許文献１がある。
この特許文献１は、吊ケーブルの外側に、軸方向に沿って係合手段を一定間隔毎に形成した押込みシリンダを被着固定し、この押込みシリンダの係合手段を利用して、ケーブルの引き込み方向に沿って一定距離引込み、その引込み終端位置で該押込みシリンダの係合手段に固定のチャック手段を係合させて押込みシリンダの戻りを止め、他方、引き込み時のチャック手段を開放して盛り替え、この引込みとチャック手段による係脱の盛り替え動作を繰り返して前記押込みシリンダをケーブル引込み方向に引込むことにより、吊ケーブルを張設するものである。
【特許文献１】特許第３５２００２９号公報
【発明の開示】
【発明が解決しようとする課題】
【０００３】
前記特許文献１の吊ケーブルの張設方法が開示される以前において吊ケーブルの張設は、桁下に張設装置（引込み装置）を設置し、その桁下から吊ケーブルを引込むことによって行われていた。このため、桁内部に引込み装置を収容する収容空間の確保を要するとともに、この収容空間に張設装置を収容する作業を要し、しかも、当該張設装置の他の収容空間への移動及び収容空間からの撤去を要していた。
この点、前記特許文献１における吊ケーブルの張設方法及び張設装置によれば、その吊ケーブルの張設作業及び張設装置の設置が構築構造物の桁上で行われるため、前記の収容空間の確保、桁下での張設装置の収容作業、移動及び撤去作業の必要が無く、吊ケーブルの張設作業の容易性の向上及び安全性の確保について極めて効果的なものである。
【０００４】
ところで、前記特許文献１に開示された張設装置によって吊ケーブルの張設をするためには前工程として当該張設装置に吊ケーブルをセットする必要がある。そして、吊ケーブルを張設装置にセットする作業に関しては、吊ケーブルの先端にワイヤーを連結し、このワイヤーを桁下に設置したウインチによって巻き上げることによって、吊ケーブルを張設装置にセット可能な位置まで引込んでいるのが現状である。
【０００５】
しかしながら、ウインチによって吊ケーブルを張設装置にセットする方法では以下のような問題がある。
まず、桁下において、ウインチでの作業が必要であり、前記張設装置に比べて軽量・小型であり、収容空間等の桁下への収容作業、移動及び撤去作業が容易であるものの、やはり狭い空間での作業となり、作業性が悪い。
また、吊ケーブルの先端に連結した１本のワイヤーをウインチで巻き上げることになるが、張設装置にセットするまでには、例えば５０ton程度の荷重が必要となるところ、汎用されているウインチは定格荷重が通常１５ton程度であることから、複数の滑車を繰り込んだ引き込み用の装置を構築する必要があり、煩雑な作業が必要となる。定格荷重の大きなウインチを用いることも考えられるが、その場合には装置が高額になる。
【０００６】
本発明は、かかる課題を解決するためになされたものであり、吊ケーブルを張設装置にセットする作業性と作業効率を向上することを課題とし、この課題を解決する吊ケーブルの一次押込み方法及びその一次押込み方法に用いられる一次押込み装置、このような一次押込み方法または装置を含む吊ケーブルの押込み方法及び装置を得ることを目的としている。
【課題を解決するための手段】
【０００７】
前記目的を達成するため、本発明が採用した第１発明は、吊ケーブルを張設する張設装置に吊ケーブルをセットする一次押込み方法であって、張設装置に装着された引張り手段の張設方向への引っ張り力を吊ケーブルに伝達して、当該吊ケーブルを張設方向へ押込みながら張設装置へセットすることを特徴とする吊ケーブルの一次押込み方法にした。
【０００８】
本発明で云う押込みとは、吊ケーブルを桁上から桁下側の吊ケーブル支持部または桁上に設置した定着部に向かって張設方向へ移動させる一連の動作を意味する。
また、本発明で云う一次押込みとは、前記押込みの一連の動作の内、吊ケーブルを張設装置によって押込みが可能な状態にセットする動作を意味し、張設装置が吊ケーブルを押込む動作を二次押込みと云う。
また、本発明で云う張設装置とは、桁上に設置されて吊ケーブルの二次押込みをする装置を意味する。
【０００９】
前記方法を具体的に達成できる一次押込み装置として、第２発明は、吊ケーブルを張設する張設装置に吊ケーブルをセットする一次押込み装置であって、吊ケーブルに対して張設方向へ引っ張る引張り手段と、吊ケーブルを保持する保持部材と、前記引張り手段と保持部材とに亘って連結された引張り部材とでなり、前記引張り手段を張設装置に装着するとともに、吊ケーブルを張設方向へ押込みながら張設装置へセットすることを特徴とする吊ケーブルの一次押込み装置にした。
【００１０】
前記引張り手段は、吊ケーブルに対して張設方向へ引っ張ることができる構造であれば良く、例えば、ウインチ構造やジャッキ構造等が挙げられる。
また、前記保持部材の吊ケーブルに対する保持の確実性の向上という観点から、第３発明のように、吊ケーブルの外側に、保持部材と係合する係合手段を固定状に設けることが好ましい。
前記係合手段の具体的構成として、例えば、前記特許文献１で例示したケーブル引込み装置に用いられる押込みシリンダに設けられた係合手段が挙げられる。
すなわち、第４発明では、吊ケーブルの外側に被着固定された押込みシリンダに一定間隔毎に形成した係合手段を係脱するチャック手段を備えたストローク手段で、吊ケーブルを張設方向に押込む張設装置に用いられる一次押込み装置であって、前記保持部材が前記係合手段に係脱するチャック機能を有するものであることを特徴とする吊ケーブルの一次押込み装置にした。
【００１１】
第５発明に係る吊ケーブルの一次押込み方法は、吊ケーブルの二次押込みを行う張設装置に吊ケーブルをセットする方法であって、ケーブルソケットよりも後方の位置において前記吊ケーブルを保持する保持部材を設け、該保持部材に取り付けた複数本の引張り部材に対して張設方向への引っ張り力を付与することによって前記吊ケーブルを前記張設装置による二次押込みが可能な位置まで押し込むことを特徴とするものである。
本明細書において、吊ケーブルとの関係で方向を言う場合において、「前」とはケーブルソケットが設けられている側およびその延長線方向をいい、「後」とはその逆方向をいうものとする。
【００１２】
引張り部材の数は、例えば、２本、３本、４本、あるいはそれ以上でもよい。
本発明においては、引張り部材を複数本設け、各引張り部材に対して引っ張り力を付与するようにしたので、従来のようにケーブルソケットに連結した１本のワイヤーロープに引っ張り力を付与するのに比べて、簡単に強い引っ張り力を付与できる。そのため、作業スピードを速くできる一次押込み量を多くすることができ、その結果、作業スピードの遅い二次押込み量を少なくすることができるので、作業効率を向上させることができる。
【００１３】
また、ケーブルソケットよりも後方の位置において前記吊ケーブルを保持する保持部材を設け、該保持部材に対して引っ張り力を付与するようにしたので、引っ張り力を付与する装置をケーブルソケットの後方に配置することができる。そのため、例えば斜張橋の場合などでは桁上にて一次押込みを行うことが可能となり、作業性と作業効率を向上させることができる。
【００１４】
第６発明に係る吊ケーブルの一次押込み装置は、吊ケーブルを張設する張設装置に吊ケーブルをセットする一次押込み装置であって、ケーブルソケットよりも後方の位置において前記吊ケーブルを保持する保持部材と、該保持部材に取り付けられた複数本の引張り部材と、該引張り部材に対して張設方向への引っ張り力を付与する引張り手段と、を備えたことを特徴とするものである。
【００１５】
第７発明に係る吊ケーブルの一次押込み装置は、上記第６発明における引張り手段が張設装置に設けられていることを特徴とするものである。
【００１６】
第８発明に係る吊ケーブルの一次押込み装置は、上記第６または第７発明における引張り手段が、引張り部材を保持し及び保持を解除すると共に引張り方向に対して前後進できる前進保持部と、該前進保持部を前後進させるジャッキと、引張り部材を保持し及び保持を解除する固定保持部と、を備えてなることを特徴とするものである。
引張り手段として、ジャッキを用いることにより、大きな引張り力を容易にかつ安価に付与することができる。
なお、引張り部材を保持するとは、引張り部材を引張力に抵抗して強固に保持することであり、その具体的態様としては、例えばチャックすること、クランプすることを含む。
【００１７】
第９発明に係る吊ケーブルの一次押込み装置は、吊ケーブルの外周面に被着固定された押込みシリンダに一定間隔毎に形成した係合手段を係脱するチャック手段を備え、該チャック手段で前記係合手段をチャックして前記吊ケーブルを張設方向に押込む張設装置に用いられる一次押込み装置であって、上記第６〜第８発明のいずれかのものにおける保持部材が前記係合手段に係合することによって前記吊ケーブルを保持するように構成されているものであることを特徴とするものである。
【００１８】
第１０発明に係る吊ケーブルの押込み方法は、吊ケーブルを張設装置にセットする一次押し込みと、張設装置によって吊ケーブルを張設方向に押し込む二次押し込みからなる吊ケーブルの押込み方法であって、前記一次押込みが、ケーブルソケットよりも後方の位置において前記吊ケーブルを保持する保持部材を設け、該保持部材に取り付けた複数本の引張り部材に対して張設方向への引っ張り力を付与することによって前記吊ケーブルを前記張設装置による二次押込みが可能な位置まで押し込むことを特徴とするものである。
【００１９】
第１１発明に係る吊ケーブルの押込み装置は、前記第６〜第９発明の何れかの吊ケーブルの一次押込み装置と、該一次押込み装置によってセットされた吊ケーブルを二次押込みする張設装置と、を備えたことを特徴とするものである。
【００２０】
第１２発明に係る吊ケーブルの押込み装置は、前記第１１発明における張設装置が、吊ケーブルの外周面に被着固定された押込みシリンダに一定間隔毎に形成した係合手段を係脱するチャック手段を備え、該チャック手段で前記係合手段をチャックして前記吊ケーブルを張設方向に押し込むものであることを特徴とするものである。
【００２１】
第１３発明に係る吊ケーブルの押込み装置は、前記第１１発明における張設装置が、吊ケーブルの端部に設けたケーブルソケットを、スライド体を介してジャッキで押出し、押出し位置で前記スライド体の戻り止めをする盛替えナットを備えたものであることを特徴とするものである。
【発明の効果】
【００２２】
本発明によれば、下記の優れた効果が期待できる。
第１発明によれば、吊ケーブルを張設装置にセットする一次押込み作業においても桁上で行えるので、この一次押込みから張設装置による二次押込み作業まで全て桁上で行うことができる。
【００２３】
また、第２発明によれば、第１発明における吊ケーブルの一次押込み方法を具体的に達成する一次押込み装置を提供できる。
また、第３発明によれば、保持部材の吊ケーブルに対する保持の確実性が向上し、第４発明によれば、第３発明を具体化することができるとともに、張設装置による二次押込みに使用される係合手段を一次押込みにそのまま使用できるので、一次及び二次押込みにおける部品の共有化によるコストの低減や、一次押込みから二次押込みの作業切り換え時間の短縮による作業時間の迅速化が期待できる。
【発明を実施するための最良の形態】
【００２４】
以下、本発明の吊ケーブルの一次押込み方法及びその一次押込み方法に用いられる吊ケーブルの一次押込み装置の最良の実施形態を図面に基づいて説明する。
尚、本形態の吊ケーブルの一次押込み方法及びその一次押込み方法に用いられる吊ケーブルの一次押込み装置は、吊ケーブルで橋桁を固定構造物に吊持した斜張橋を構築するのに用いるものとして説明する。
【００２５】
一次押込みは、二次押込みの前段階として行うものであることから、まず、二次押込み装置および方法について説明する。
図４、図５は二次押込みを行う張設装置（以下、「二次押込み装置」という）の説明図であり、吊ケーブルを二次押込み装置にセットして二次押込み開始時点の状態を示しており、図４が平面図、図５が側面図である。
【００２６】
前記二次押込み装置１は、斜張橋における保工桁Ａ上に載置され、一次押込み装置によりセットされた吊ケーブル２を保工桁Ａの桁下に設けられた支持部（図示せず）に向かって押込む構造のものであり、具体的には、前記特許文献１で例示した「特許第３５２００２９号」における引込み装置と略同様の構成を有するものである。
二次押込み装置１の基本的な構成を説明する前に、まず、二次押込み装置１にセットされる吊ケーブル２について説明すると、吊ケーブル２の先端にはケーブルソケットが設けられ、その後方には竹節状の係合手段４１が着脱可能に被着固定されている。
【００２７】
次に、二次押込み装置１の基本的な構成を説明する。二次押込み装置１は、図５に示されるように、保工桁Ａ上に設置された支持台Ｄ上に設置される。支持台Ｄは、保工桁Ａに取り付けされる枠体Ａ１に支持された角度調整用ジャッキＡ２により、二次押込み装置１を角度調整可能に支持するものである。
二次押込み装置１は、吊ケーブルの係合手段４１をチャックしたりチャックの解除をしたりするチャック手段Ｃを備えている。チャック手段Ｃは、張設方向に沿って前後２箇所に設けられた移動側のチャック部Ｃ１と固定側のチャック部Ｃ２とからなる。そして、この両チャック部Ｃ１、Ｃ２間にストローク手段Ｂが位置し、このストローク手段Ｂの張設方向に沿うストロークにより、移動側のチャック部Ｃ１が押込み方向に沿って前後往復動するようにされている。
【００２８】
上記のように構成された二次押込み装置１によって吊ケーブル２を押込む動作について説明する。吊ケーブルを押込む際には、チャック部Ｃ１によって吊ケーブル２の係合手段４１をチャックすると共にチャック部Ｃ２の係合手段４１に対するチャックを解除し、この状態でストローク手段Ｂのロッドを伸長させる。これによって、チャック部Ｃ１が反力ロッドを兼ねた案内杆１１に沿って前進し、チャック部Ｃ１にチャックされた吊ケーブル２が押込まれる。
ストローク手段Ｂのロッドが１ストローク分伸長されると、チャック部Ｃ２によって前記係合手段４１をチャックして吊ケーブル２を保持する一方、チャック部Ｃ１の係合手段４１に対するチャックを解除する。この状態で、ストローク手段Ｂのロッドを縮退させることによって、チャック部Ｃ１を元の位置に戻す。
このようなチャック手段Ｃによるチャック動作およびストローク手段Ｂの前後動を繰り返すことによって、吊ケーブル２の押込み作業が行われる。
【００２９】
以上が、二次押込み装置による二次押込み方法であるが、図４に示すように二次押込みが可能な状態に吊ケーブルをセットするまでの動作が一次押込みである。二次押込みが可能な状態とは、図４に示すように、吊ケーブル２の係合手段４１を移動側のチャック部Ｃ１でチャック可能な状態にセットした状態をいう。
【００３０】
図１、図２は一次押込み装置の説明図であり、図１が平面図、図２が側面図である。図１、図２は、図４に示した二次押込み装置１に一次押込み装置３を取り付け、吊ケーブル２を一次押込み可能な状態にセットした状態を示している。以下、図１、図２に基づいて一次押込み装置について説明する。
【００３１】
一次押込み装置３は、吊ケーブル２に係合して吊ケーブル２を保持する保持部材６と、保持部材６に取り付けられて保持部材６を引っ張るためのワイヤーロープからなる引張り部材７と、前述した二次押込み装置１のチャック部Ｃ２の左右外側に着脱可能に取り付けられて引張り部材７を引っ張る引張り手段５と、から構成されている。
【００３２】
保持部材６は、吊ケーブル２に被着固定した押込みシリンダ４の係合手段４１に係合する係合部６１と、この係合部６１に連結されると共に押込みシリンダ４の後端部に吊ケーブル２の両側に張り出すように設けられて引張り部材７が連結される引張り部材連結部６２と、を備えてなる。そして、引張り部材連結部６２に連結された引張り部材７が引張り手段５によって引張り可能にセットされている。
なお、係合部６１は、筒体を半割にして分割された筒体部材を上下から押込みシリンダ４に被着固定することにより係合手段４に対して係合するようにしている。
引張り部材７は、ワイヤーロープの例を示したが、引張り手段５の引張り力に耐え得るものであれば他の材質のものでもよい。
【００３３】
引張り手段５は、引張り部材７をチャック及びチャック解除する前後の前進チャック部５１と、固定チャック部５２と、これら前進チャック部５１と固定チャック部５２の間に設置されて前進チャック部５１を前後動させるジャッキ５３とから構成されている。
【００３４】
次に、上述した一次押込み装置３を用いた吊ケーブル２の一次押込み方法を説明する。
先ず、吊ケーブル２を一次押込み装置３に一次押込み可能状態で保持させる。この保持させる方法については、種々の方法があるが、例えば以下のようにする。
先ず、吊ケーブル２の先端部に保持部材６を取り付け、保持部材６に引張り部材７を取り付ける。この状態で、吊ケーブル２の先端をウインチ等で引っ張って、吊ケーブル２の先端部分を二次押込み装置１におけるチャック手段Ｃに対して挿入状態にすると共に一次押込み装置３の構成部材である引張り手段５を二次押込み装置１に装着する。
あるいは、吊ケーブル２を二次押込み装置１の前方に配置したウインチ等で引っ張って、吊ケーブル２の先端部分を二次押込み装置のチャック手段Ｃに対して挿入状にし、この状態で一次押込み装置３の引張り手段５を二次押込み装置１に装着すると共に、吊ケーブル２に保持部材６を取り付ける。
【００３５】
このように、吊ケーブル２を一次押込み装置３に一次押込み可能状態で保持させる方法は、作業場所や設備に応じて任意に選択できる。
また、吊ケーブル２をチャック手段Ｃに対して挿入状態にする場合、チャック手段Ｃにおけるチャック部Ｃ１、Ｃ２を分解し、組み立てる際に吊ケーブル２を挿入する方法、又は、前記チャック部Ｃ１、Ｃ２を係合解除状態（開いた状態）にして挿入する方法等いずれでも任意である。
又、吊ケーブル２の挿入作業及び一次押込み作業においては、二次押込み装置１を保工桁Ａに対して水平状にして行っても良いし、吊ケーブル２の押込み方法に沿う角度に傾斜させて行ってもよい。
【００３６】
吊ケーブル２を一次押込み装置３に一次押込み可能状態で保持させた後は、一次押込み装置３を動作させて吊ケーブル２を二次押込み装置１に押し込んでいく。以下、一次押込み動作を説明する。
吊ケーブル２を押込む際には、前進チャック部５１によって引張り部材７をチャックすると共に固定チャック部５２の引張り部材７に対するチャックを解除し、この状態でジャッキ５３のロッドを伸長することにより、前進チャック部５１を前進させる。これによって、引張り部材７が保持部材６を引っ張るので、保持部材６に係合部材６１を介して係合している吊ケーブル２が二次押込み装置側に押し込まれる。図３は、図１の状態からジャッキ５３の１ストローク分押し込んだ状態を示している。
【００３７】
ジャッキ５３の１ストローク分の伸長が終了すると、固定チャック部５２で引張り部材７をチャックすると共に前進チャック部５１による引張り部材７のチャックを解除し、この状態でジャッキ５３のロッドを縮退させることによって前進チャック部５１を元の位置に戻す。
このように、前進チャック部５１及び固定チャック部５２の引張り部材７に対するチャック・チャック解除を繰り返すとともに、ジャッキ５３で前進チャック部５１の前後動を繰り返すことによって、吊ケーブル２の一次押込み作業を行う。
【００３８】
そして、吊ケーブル２における押込みシリンダ４の係合手段４１が二次押込み装置１のチャック部Ｃ１、Ｃ２に係合される位置まで押込んだ後、当該チャック部Ｃ１、Ｃ２を係合手段４１に対して係合させる。
そして、一次押込み装置３を二次押込み装置１及び吊ケーブル２から取り外して吊ケーブル２の一次押込みが完了する。この状態が図４に示す状態である。
【００３９】
前記一次押込みの完了後、二次押込み装置１におけるチャック部Ｃ１、Ｃ２を前記のように動作させて吊ケーブル２を押込み、所定のテンションに張設するとともに、吊ケーブル２を桁下の支持部（図示せず）に固着することによって、吊ケーブル２の張設作業が完了する。
作業終了後には、二次押込み装置１を保工桁Ａから取り外して次の張設作業場所へ移動し、次の吊ケーブル２の張設作業を前記と同様の方法で行う。
すなわち、本形態の一次押込み方法及び一次押込み装置によれば、張設作業を全て保工桁Ａ上で行うことができる。
【００４０】
なお、本発明は、例示した実施の形態に限定するものでは無く、特許請求の範囲の各項に記載された内容から逸脱しない範囲の構成による実施が可能である。
例えば、本形態では、二次押込み装置を特許第３５２００２９号の引込み装置と略同構成のものを例示したが、一次押込み装置が取り付けられる構成を有するとともに、押込みシリンダにおける係合手段に係合して吊ケーブルを押込める構成のものであれば良い。
【００４１】
また、他の二次押込み装置の態様としては、以下のようなものであってもよい。
吊ケーブルの後端部に設けられたケーブルソケットをジャッキ装置で押し出し、前記ジャッキ装置とケーブルをその押出し位置で戻り止めする盛替えナットを盛り替えとガイドを兼ねたガイドロッドに有する装置であって、ジャッキ装置を支持部に対して前方位置に配設し、ケーブルソケットとジャッキ装置との間に、ケーブルに沿うスペーサを介在してなる二次押込み装置。
【００４２】
また、本実施の形態では、吊ケーブルを当該吊ケーブルに被着固定された押込みシリンダの係合手段を利用して一次押込み装置における保持部材で保持するものを例示したが、この保持部材で保持するための係合手段は、押込みシリンダの係合手段以外の一次押込み装置専用の係合手段を設けてもよい。
【図面の簡単な説明】
【００４３】
【図１】吊ケーブルを保持した一次押込み装置を二次押込み装置に装着した状態の平面図である。
【図２】図１の側面図である。
【図３】一次押込み装置が吊ケーブルを押込んだ状態の平面図である。
【図４】二次押込み装置が吊ケーブルを二次押込み可能状態で保持している状態の平面図である。
【図５】図４の側面図である。
【符号の説明】
【００４４】
１    張設装置（二次押込み装置）
２    吊ケーブル
３    一次押込み装置
４    押込みシリンダ
５    引張り手段
６    保持部材
７    引張り部材
４１  係合手段
５１  前進チャック部
５２  固定チャック部
５３  ジャッキ
６１  係合部
６２  引張り部材連結部
Ａ  保工桁
Ｂ  ストローク手段
Ｃ  チャック手段
Ｃ１  チャック部
Ｃ２  チャック部
Ｄ  支持台
【図１】
2007198116.tif 000003
【図２】
2007198116.tif 000004
【図３】
2007198116.tif 000005
【図４】
2007198116.tif 000006
【図５】
2007198116.tif 000007